(57)【要約】【課題】入力する情報を第三者に知られてしまうことを防ぐ。【解決手段】利用者が透過型ＨＭＤ１２１を装着したことを検知部１２２が検知し、配置決定部１１３が複数の入力キー１１４と文字との対応付けをランダムに決定し、透過型ＨＭＤ１２１が、配置決定部１１３が決定した対応付けに基づいて、複数の入力キー１１４それぞれと対応する位置に文字を表示し、複数の入力キー１１４を用いて入力された情報を配置決定部１１３が決定した対応付けに基づいて、制御部１１２が認識して処理を行う。【選択図】図１
2011090636.tif 000002
【特許請求の範囲】
【請求項１】
入力された情報を処理する情報処理装置であって、
当該情報処理装置の外部から前記情報を入力するために操作される複数の入力キーと、
前記複数の入力キーを用いて入力された情報に応じた処理を行う制御部と、
前記複数の入力キーそれぞれと対応付けられた文字を、該複数の入力キーそれぞれと対応する位置に表示する透過型ヘッドマウンテッドディスプレイと、
利用者が前記透過型ヘッドマウンテッドディスプレイを装着したことを検知する検知部と、
前記検知部が、前記利用者が前記透過型ヘッドマウンテッドディスプレイを装着したことを検知したとき、前記複数の入力キーと前記文字との対応付けをランダムに決定する配置決定部とを有し、
前記透過型ヘッドマウンテッドディスプレイは、前記配置決定部が決定した対応付けに基づいて前記文字を表示し、
前記制御部は、前記複数の入力キーを用いて情報が入力された際、前記配置決定部が決定した対応付けに基づいて、該情報を認識して処理を行う情報処理装置。
【請求項２】
請求項１に記載の情報処理装置において、
前記透過型ヘッドマウンテッドディスプレイに対する前記複数の入力キーの相対位置を認識する位置認識部を有し、
前記透過型ヘッドマウンテッドディスプレイは、前記相対位置に前記文字を表示することを特徴とする情報処理装置。
【請求項３】
請求項１に記載の情報処理装置において、
前記複数の入力キーは、タッチパネル上に表示されるキーであることを特徴とする情報処理装置。
【請求項４】
請求項１に記載の情報処理装置において、
前記制御部は、前記複数の入力キーを用いて入力された情報を用いて、前記利用者を認証し、該認証に失敗した場合、その旨を前記透過型ヘッドマウンテッドディスプレイへ通知し、
前記透過型ヘッドマウンテッドディスプレイは、前記制御部から該通知を受けた場合、前記情報の入力を促す表示を行うことを特徴とする情報処理装置。
【請求項５】
請求項４に記載の情報処理装置において、
前記制御部は、前記認証に失敗した場合、その旨を前記配置決定部へ通知し、
前記配置決定部は、前記制御部から該通知を受けた場合、前記複数の入力キーと前記文字との対応付けを変更し、
前記透過型ヘッドマウンテッドディスプレイは、前記配置決定部が変更した対応付けに基づいて前記文字を表示することを特徴とする情報処理装置。
【発明の詳細な説明】
【技術分野】
【０００１】
本発明は、入力された情報を処理する情報処理装置に関する。
【背景技術】
【０００２】
一般的に、現金自動預け払い機（ＡＴＭ：Ａｕｔｏｍａｔｅｄ  Ｔｅｌｌｅｒ  Ｍａｃｈｉｎｅ）等で現金を引き出す際に、暗証番号を入力する必要がある。このとき、近くにいる第三者によって、入力するための入力キーの配置と暗証番号を入力する手（腕）の動きとから、暗証番号を確認されたり、暗証番号を推測されたりしてしまうおそれがある。
【０００３】
そこで、入力キーの配置をランダムに変更する技術が考えられている（例えば、特許文献１参照。）。
【先行技術文献】
【特許文献】
【０００４】
【特許文献１】特開平９−２３０９７５号公報
【発明の概要】
【発明が解決しようとする課題】
【０００５】
しかしながら、特許文献１に記載されたような技術においても、第三者によって入力キーの配置を覗かれて確認されてしまうと、暗証番号を知られてしまうという問題点がある。
【０００６】
本発明の目的は、上述した課題を解決する情報処理装置を提供することである。
【課題を解決するための手段】
【０００７】
本発明の情報処理装置は、
入力された情報を処理する情報処理装置であって、
当該情報処理装置の外部から前記情報を入力するために操作される複数の入力キーと、
前記複数の入力キーを用いて入力された情報に応じた処理を行う制御部と、
前記複数の入力キーそれぞれと対応付けられた文字を、該複数の入力キーそれぞれと対応する位置に表示する透過型ヘッドマウンテッドディスプレイと、
利用者が前記透過型ヘッドマウンテッドディスプレイを装着したことを検知する検知部と、
前記検知部が、前記利用者が前記透過型ヘッドマウンテッドディスプレイを装着したことを検知したとき、前記複数の入力キーと前記文字との対応付けをランダムに決定する配置決定部とを有し、
前記透過型ヘッドマウンテッドディスプレイは、前記配置決定部が決定した対応付けに基づいて前記文字を表示し、
前記制御部は、前記複数の入力キーを用いて情報が入力された際、前記配置決定部が決定した対応付けに基づいて、該情報を認識して処理を行う。
【発明の効果】
【０００８】
以上説明したように、本発明においては、入力する情報を第三者に知られてしまうことを防ぐことができる。
【図面の簡単な説明】
【０００９】
【図１】本発明の情報処理装置の実施の一形態を示す図である。
【図２】図１に示した情報処理装置の使用の一例を示した図である。
【図３】図１に示した情報処理装置における処理を説明するためのフローチャートである。
【図４】ステップＳ４における、透過型ＨＭＤを用いずに見た入力キーを示す図である。
【図５】ステップＳ４における、透過型ＨＭＤを用いて見た入力キーを示す図である。
【図６】図１に示した情報処理装置における具体的な使用例を説明するためのフローチャートである。
【発明を実施するための形態】
【００１０】
以下に、本発明の実施の形態について図面を参照して説明する。
【００１１】
図１は、本発明の情報処理装置の実施の一形態を示す図である。
【００１２】
本形態における情報処理装置１００には図１に示すように、入力ユニット１１０と、表示ユニット１２０とから構成されている。
【００１３】
さらに、入力ユニット１１０には、入力キー群１１１と、制御部１１２と、配置決定部１１３とが設けられている。
【００１４】
また、表示ユニット１２０には、透過型ＨＭＤ１２１と、検知部１２２と、位置認識部１２３とが設けられている。
【００１５】
入力キー群１１１は、複数の入力キー１１４から構成され、利用者が外部から情報を入力するために操作されるものである。入力キー群１１１は、複数の入力キー１１４が数字を入力するためのものである場合、０〜９までの１０個の入力キー１１４から構成される。例えば、テンキーが挙げられる。また、入力キー１１４上それぞれには、文字（数字を含む）は表示（印字）されていない。また、入力キー１１４は、ボタン構造であっても良いし、タッチパネル上に表示されるものであっても良い。また、入力キー群１１１には、位置認識部１２３が相対位置を認識するための目印となるマーカー（不図示）が印されている。
【００１６】
制御部１１２は、入力キー１１４を用いて入力された情報に基づいて、所定の処理を行う。また、制御部１１２は、入力キー１１４を用いて情報が入力された際、配置決定部１１３が決定した入力キー１１４と文字との対応付けに基づいて、情報を認識して所定の処理を行う。
【００１７】
例えば、制御部１１２は、入力キー１１４を用いて暗証番号が入力された場合、入力された暗証番号を用いて利用者の認証処理を行う。このとき、利用者の認証に失敗した場合、その旨を透過型ＨＭＤ１２１または配置決定部１１３へ通知するものであっても良い。
【００１８】
透過型ＨＭＤ１２１は、透過型ヘッドマウンテッドディスプレイであり、複数の入力キー１１４それぞれと対応付けられた文字を、複数の入力キー１１４それぞれと対応する位置に表示する。このとき、透過型ＨＭＤ１２１は、配置決定部１１３が決定した入力キー１１４と文字との対応付けに基づいて文字を表示する。また、透過型ＨＭＤ１２１は、位置認識部１２３が認識した、透過型ＨＭＤ１２１に対する入力キー１１４の相対位置に文字を表示する。また、透過型ＨＭＤ１２１は、制御部１１２から利用者の認証に失敗した旨を示す通知を受けた場合、暗証番号の再入力を促す表示を行う。
【００１９】
検知部１２２は、利用者が透過型ＨＭＤ１２１を装着したことを検知する。この検知には、なんらかのセンサを用いても良いし、利用者による所定の処理（例えば、表示ユニット１２０に設けられたスイッチの押下等）を検知するものであっても良く、その方法についてはここでは特に規定しない。
【００２０】
配置決定部１１３は、検知部１２２が、利用者が透過型ＨＭＤ１２１を装着したことを検知したとき、複数の入力キー１１４それぞれと文字との対応付け、つまり、文字の配置をランダムに決定する。例えば、入力キー１１４が数字を入力するものである場合、１０個の入力キー１１４それぞれが、「０」〜「９」それぞれのどの数字に対応するかという対応付け（文字の配置）をランダムに決定する。ここで、入力キー１１４それぞれと数字（文字）それぞれとが、１対１で対応するものであることは言うまでもない。また、配置決定部１１３は、制御部１１２から利用者の認証に失敗した旨を示す通知を受けた場合、複数の入力キー１１４と文字との対応付けを変更して決定するものであっても良い。
【００２１】
位置認識部１２３は、透過型ＨＭＤ１２１に対する複数の入力キー１１４の相対位置を認識する。例えば、撮影可能なカメラ機能が具備されたものであっても良い。この場合、カメラで撮影された画像から、入力キー群１１１に印されたマーカーを識別し、識別したマーカーから透過型ＨＭＤ１２１に対する複数の入力キー１１４の相対位置を認識する。
【００２２】
図２は、図１に示した情報処理装置１００の使用の一例を示した図である。
【００２３】
図１に示した情報処理装置１００は図２に示すように、入力ユニット１１０と表示ユニット１２０とがケーブル等の有線や無線で接続されている。また、表示ユニット１２０は利用者２００に装着可能に構成されている。利用者２００は、表示ユニット１２０を装着して入力キー１１４を見ることにより、透過型ＨＭＤ１２１に表示される文字と、入力キー１１４とが仮想的に合成されて見ることができる。
【００２４】
以下に、本形態における処理について説明する。
【００２５】
図３は、図１に示した情報処理装置１００における処理を説明するためのフローチャートである。
【００２６】
まず、検知部１２２によって、利用者が透過型ＨＭＤ１２１を装着したかどうかが判断される（ステップＳ１）。この検知方法については、上述したように特に規定しない。
【００２７】
検知部１２２によって利用者が透過型ＨＭＤ１２１を装着したことが検知されると、その旨が検知部１２２から配置決定部１１３へ通知される。
【００２８】
利用者が透過型ＨＭＤ１２１を装着したことが検知部１２２から配置決定部１１３へ通知されると、配置決定部１１３にて入力キー１１４それぞれと、透過型ＨＭＤ１２１が表示する文字（数字）との対応付けがランダムに決定される。つまり、文字（数字）の配置が決定される（ステップＳ２）。
【００２９】
決定された文字の配置は、配置情報として配置決定部１１３から透過型ＨＭＤ１２１へ出力される。
【００３０】
また、位置認識部１２３によって、透過型ＨＭＤ１２１に対する複数の入力キー１１４の相対位置が認識される。
【００３１】
すると、透過型ＨＭＤ１２１にて、配置決定部１１３から出力されてきた配置情報と、位置認識部１２３によって認識された相対位置とに基づいて、それぞれの文字を表示する位置が決定される（ステップＳ３）。そして、透過型ＨＭＤ１２１の決定された位置それぞれに文字が表示される（ステップＳ４）。
【００３２】
図４は、ステップＳ４における、透過型ＨＭＤ１２１を用いずに見た入力キー１１４を示す図である。
【００３３】
図４に示すように、透過型ＨＭＤ１２１を用いずに入力キー１１４を見ると、入力キー１１４上には何も表示されていない。そのため、利用者が情報処理装置１００に情報を入力しているときに、入力キー１１４を第三者に覗かれても、入力した内容を知られることはない。
【００３４】
図５は、ステップＳ４における、透過型ＨＭＤ１２１を用いて見た入力キー１１４を示す図である。
【００３５】
図５に示すように、透過型ＨＭＤ１２１を用いて入力キー１１４を見ると、入力キー１１４上に文字（数字）が表示される。この数字は、配置決定部１１３が決定した配置で表示される。なお、配置決定部１１３は、ランダムに配置（入力キー１１４と文字との対応付け）を決定する。そのため、この配置を覚えておいても、その後の入力で当該配置が有効になる可能性は低くなる。
【００３６】
ステップＳ４にて、透過型ＨＭＤ１２１に文字が表示された後、入力キー１１４が選択（押下）されると（ステップＳ５）、選択（押下）された入力キー１１４と、配置決定部１１３が決定した配置（対応付け）とに基づいて、入力された情報が制御部１１２によって認識される（ステップＳ６）。
【００３７】
そして、認識された情報に基づいて、制御部１１２によって所定の処理が行われる（ステップＳ７）。
【００３８】
以下に、図１に示した情報処理装置１００における具体的な使用例として、上述した情報が暗証番号であり、当該暗証番号に基づいて利用者を認証する処理を例に挙げて説明する。
【００３９】
図６は、図１に示した情報処理装置１００における具体的な使用例を説明するためのフローチャートである。
【００４０】
まず、検知部１２２によって、利用者が透過型ＨＭＤ１２１を装着したかどうかが判断される（ステップＳ１１）。この検知方法については、上述したように特に規定しない。
【００４１】
検知部１２２によって利用者が透過型ＨＭＤ１２１を装着したことが検知されると、その旨が検知部１２２から配置決定部１１３へ通知される。
【００４２】
利用者が透過型ＨＭＤ１２１を装着したことが検知部１２２から配置決定部１１３へ通知されると、配置決定部１１３にて入力キー１１４それぞれと、透過型ＨＭＤ１２１が表示する数字との対応付けがランダムに決定される。つまり、数字の配置が決定される（ステップＳ１２）。
【００４３】
決定された数字の配置は、配置情報として配置決定部１１３から透過型ＨＭＤ１２１へ出力される。
【００４４】
また、位置認識部１２３によって、透過型ＨＭＤ１２１に対する複数の入力キー１１４の相対位置が認識される。
【００４５】
すると、透過型ＨＭＤ１２１にて、配置決定部１１３から出力されてきた配置情報と、位置認識部１２３によって認識された相対位置とに基づいて、それぞれの数字を表示する位置が決定される（ステップＳ１３）。そして、透過型ＨＭＤ１２１の決定された位置それぞれに数字が表示される（ステップＳ１４）。
【００４６】
透過型ＨＭＤ１２１に文字が表示された後、入力キー１１４が選択（押下）されると（ステップＳ１５）、選択（押下）された入力キー１１４と、配置決定部１１３が決定した配置（対応付け）とに基づいて、入力された数字が制御部１１２によって認識される（ステップＳ１６）。
【００４７】
すると、制御部１１２によって認識された数字を用いて、利用者の認証が行われる（ステップＳ１７）。この認証は、入力された暗証番号と、あらかじめ情報処理装置が記憶している番号とが一致した場合、認証成功と判断する一般的なものであれば良い。
【００４８】
認証に成功した場合、制御部１１２によって所定の処理が行われる（ステップＳ１８）。
【００４９】
一方、ステップＳ１７にて認証に失敗した場合、当該失敗が２回目の失敗であるかどうかが制御部１１２によって判断される（ステップＳ１９）。
【００５０】
ステップＳ１９にて当該失敗が２回目の失敗であると判断された場合、制御部１１２によって透過型ＨＭＤ１２１にエラーを示す表示がなされる（ステップＳ２０）。このエラーを示す表示は、認証に失敗した旨が認識できる表示であれば良く、詳細は規定しない。
【００５１】
一方、ステップＳ１９にて当該失敗が２回目の失敗ではないと判断された場合は、制御部１１２によって透過型ＨＭＤ１２１に暗証番号の再入力を促す表示がなされる（ステップＳ２１）。この表示は、暗証番号の再入力を促すものであれば良く、詳細は規定しない。そして、ステップＳ１２の処理が行われる。
【００５２】
ここで、ステップＳ２１の処理の後、ステップＳ１２〜Ｓ１３の処理を行わずに、ステップＳ１４の処理が行われるものであっても良い。
【００５３】
また、認証に２回失敗した場合、エラー表示をする場合を例に挙げて説明したが、その回数は規定しない。
【００５４】
このように、利用者が情報処理装置１００へ情報を入力する際、第三者からは当該利用者の手の動きしか認識することができず、どのような情報を入力しているかを認識することができない。そのため、入力する情報を第三者に知られてしまうことを防ぐことができる。
【符号の説明】
【００５５】
１００    情報処理装置
１１０    入力ユニット
１１１    入力キー群
１１２    制御部
１１３    配置決定部
１１４    入力キー
１２０    表示ユニット
１２１    透過型ＨＭＤ
１２２    検知部
１２３    位置認識部
２００    利用者
【図１】
2011090636.tif 000003
【図２】
2011090636.tif 000004
【図３】
2011090636.tif 000005
【図４】
2011090636.tif 000006
【図５】
2011090636.tif 000007
【図６】
2011090636.tif 000008